(57)【要約】【課題】多くの粉塵が浮遊する作業環境で用いられるエアコンプレッサは、例えば吸気口の周りに粉塵が堆積しやすい。粉塵が堆積すると吸気口を覆うフィルタに目詰まりが生じて吸気効率が低下する場合がある。高い圧縮エア生成能力を維持するためには頻繁に粉塵除去等のメンテナンスを行う必要があるが、これではメンテナンスフリー化のメリットが阻害されてしまう。本発明は、吸気によってエアコンプレッサに堆積した粉塵を特段の作業を増やすことなく取り除けるようにすることを目的とする。【解決手段】エアコンプレッサ１は、外気を圧縮して圧縮エアを生成する圧縮機構２０と、圧縮機構２０を備えた機構ケース１１と、機構ケース１１に外気を取り込むための吸気口１３ａを備えている。吸気口１３ａは、可変フィルタ５０で覆われている。可変フィルタ５０は、吸気口１３ａから露出した露出部５２ｂを有し、露出部５２ｂが吸気口１３ａに対して変位可能である。【選択図】図５
2020180596.tif 000002
【特許請求の範囲】
【請求項１】
外気を圧縮して圧縮エアを生成する圧縮機構と、該圧縮機構を備えた機構ケースと、前記圧縮機構に外気を取り込むための吸気口を前記機構ケースに備えたエアコンプレッサであって、
該吸気口は、可変フィルタで覆われており、
該可変フィルタは、前記吸気口から露出した露出部を有し、該露出部が前記吸気口に対して変位可能であるエアコンプレッサ。
【請求項２】
請求項１に記載のエアコンプレッサであって、
前記可変フィルタは、開口部を有し、該開口部が前記吸気口の周りを囲んで前記機構ケースに固定されるエアコンプレッサ。
【請求項３】
請求項１または２に記載のエアコンプレッサであって、
前記圧縮機構を冷却するファンを備えており、
前記ファンによって発生した風の少なくとも一部が前記露出部へと流れるエアコンプレッサ。
【請求項４】
請求項１〜３の何れか１項に記載したエアコンプレッサであって、
前記吸気口は、前記可変フィルタとは別体の固定フィルタで覆われており、
前記可変フィルタは、前記吸気口に対して前記固定フィルタの外側に設けられるエアコンプレッサ。
【請求項５】
請求項１〜４の何れか１項に記載したエアコンプレッサであって、
前記露出部は、前記圧縮機構が作動して吸気する時に収縮状態になり、前記圧縮機構が停止した時に前記収縮状態が弛緩するエアコンプレッサ。
【請求項６】
請求項１〜５の何れか１項に記載したエアコンプレッサであって、
前記露出部の先端部に重り部材を備えたエアコンプレッサ。
【請求項７】
請求項１〜６の何れか１項に記載したエアコンプレッサであって、
前記可変フィルタは紙製であるエアコンプレッサ。
【発明の詳細な説明】
【技術分野】
【０００１】
本発明は、外気を圧縮して圧縮エアを生成するエアコンプレッサであって、例えば圧縮エア駆動式の釘打機やエアタッカ等の工具に圧縮エアを供給するためのエアコンプレッサに関する。
【背景技術】
【０００２】
エアコンプレッサは、シリンダ内に外気を取り込み、電動モータ等の動力機関を作動させてシリンダ内でピストンを往復動させることで圧縮エアを生成する。生成した圧縮エアは、例えば釘打機やエアタッカ等の圧縮エア駆動式の工具に供給される。エアコンプレッサは、外気を吸気する過程において、外気中に浮遊している粉塵も一緒に集積してしまう。集積された粉塵は、例えば外気を取り込む吸気口を覆うフィルタ周りに堆積する。吸気口のフィルタ周りに粉塵が堆積すると、フィルタに目詰まりが生じて吸気効率が低下する場合がある。従って、堆積した粉塵を定期的に取り除くことが望ましい。
【０００３】
特許文献１には、外気に含まれる粉塵を捕集する集塵装置を備えたエアコンプレッサについて記載されている。特許文献１記載の集塵装置は、圧縮エアを貯留するタンク内で凝結して蓄積したドレン水を排出して貯留する容器を有する。容器に貯留されたドレン水の水面に外気を接触させることで外気中の粉塵が捕集される。
【先行技術文献】
【特許文献】
【０００４】
【特許文献１】特開２００９−１３３２８７号公報
【発明の概要】
【発明が解決しようとする課題】
【０００５】
しかしながら、特許文献１に記載の集塵装置によれば、捕集によって外気中の粉塵を低減することはできても、吸気口の周りに堆積した粉塵を取り除く機能を有するものではなかった。この種のエアコンプレッサは、通常多くの粉塵が浮遊する作業環境で用いられることから、例えば吸気口の周りに粉塵が堆積しやすい。このため、高い圧縮エア生成能力を維持するためには、頻繁に粉塵除去等のメンテナンスを行う必要があるが、これではメンテナンスフリー化のメリットが阻害されてしまう。
【０００６】
本発明は、吸気によってエアコンプレッサに堆積した粉塵を特段の作業を増やすことなく取り除けるようにすることを目的とする。
【課題を解決するための手段】
【０００７】
本開示の一つの特徴によるとエアコンプレッサは、外気を圧縮して圧縮エアを生成する圧縮機構と、圧縮機構を備えた機構ケースと、機構ケースに外気を取り込むための吸気口を備えている。吸気口は、可変フィルタで覆われている。可変フィルタは、吸気口から露出した露出部を有し、露出部が吸気口に対して変位可能である。
【０００８】
従って、露出部が変位してその外周面が変形することで、吸気口の可変フィルタの周りに堆積した粉塵がふるい落とされる。例えば可変フィルタに堆積した粉塵が取り除かれることによって、可変フィルタの通気性が本来の性能へと回復する。かくして特段の作業を増やすことなくエアコンプレッサの特に吸気口の周りに堆積した粉塵を取り除いて吸気効率を維持することができる。
【０００９】
本開示の他の特徴によると可変フィルタは、開口部を有している。開口部は、吸気口の周りを囲んで機構ケースに固定されている。
【００１０】
従って、開口部が機構ケースに固定されているため、露出部が比較的大きく変形しても可変フィルタが吸気口の周りに保持される。そのため、露出部の変形によって堆積した粉塵をふるい落とす効果をより高めることができる。また、開口部が吸気口の周りで固定されているため、露出部が比較的大きく変形しても、吸気口への粉塵の侵入を防ぐことができる。
【００１１】
本開示の他の特徴によるとエアコンプレッサは、圧縮機構を冷却するファンを備えている。ファンによって発生した風の少なくとも一部が露出部へと流れる。
【００１２】
従って、特段の構成を新たに設けることなく、エアコンプレッサの使用時にファンによって発生した風が露出部へと流れて、露出部を自動的に変位させることができる。これにより、吸気口の周りに堆積した粉塵を取り除くメンテナンスを自動的に行うことができる。また、取り除かれた粉塵は、ファンで発生した風によって、吸気口から比較的離れた場所まで吹き飛ばされる。そのため取り除かれた粉塵が再度吸気口の周りに集塵されることを比較的抑制することができる。
【００１３】
本開示の他の特徴によると吸気口は、可変フィルタとは別体の固定フィルタで覆われている。可変フィルタは、吸気口に対して固定フィルタの外側に設けられている。
【００１４】
従って、吸気口への粉塵の侵入をより確実に防ぐことができる。さらに、吸気口の周りに堆積した粉塵は、露出部の変位によって概ね取り除かれる。そのため、固定フィルタまで侵入する粉塵が十分に低減されて固定フィルタの目詰まりが抑制される。これにより、メンテナンスフリーの状態でエアコンプレッサの吸気効率を維持することができる。また、可変フィルタと固定フィルタで吸気口を二重に覆うことによって、圧縮エアの生成時に圧縮機構から発生する騒音を抑えることができる。
【００１５】
本開示の他の特徴によると露出部は、圧縮機構が作動して吸気する時に収縮状態になる。また、露出部は、圧縮機構が停止した時に収縮状態が弛緩する。ここで、露出部の収縮状態とは、可変フィルタの内側の空気が機構ケース内へと吸引されることによって露出部が変形した状態を指しており、例えば露出部が外側から見て凹み形状を有している状態や、露出部が折り目に沿って折り畳まれて小さくなった状態等を指している。
【００１６】
従って、圧縮機構の起動時に露出部が収縮状態に変形し、圧縮機構の停止時に露出部が弛緩状態に変形する。そのため、エアコンプレッサを使用する際には、圧縮機構の起動時と停止時で少なくとも２回は露出部が変形する。かくして特段の作業を増やすことなくエアコンプレッサの使用に合わせて、吸気口の周りに堆積した粉塵を自動的に取り除くことができる。
【００１７】
本開示の他の特徴によると露出部の先端部には、重り部材が設けられている。
【００１８】
従って、重り部材が、例えば振り子のように揺れ動いたり、例えば袋状の露出部の内側で転がったりする。これにより、露出部の変位が起きやすくなり、また露出部の変位量が大きくなる。そのため、吸気口の周りに堆積した粉塵を取り除く効果がより高まる。
【００１９】
本開示の他の特徴によると可変フィルタは紙製である。
【００２０】
従って、比較的目詰まりし難い紙を可変フィルタとして使用することによって、メンテナンスフリーの状態で可変フィルタの通気性が維持され易い。また、変形し易い紙を可変フィルタとして使用することによって、露出部を変位させ易い。
【図面の簡単な説明】
【００２１】
【図１】本発明に係るエアコンプレッサの機構カバーを備えた全体斜視図である。
【図２】本発明に係るエアコンプレッサの機構カバーを備えた全体前面図である。
【図３】本発明に係るエアコンプレッサの機構カバーを外した全体斜視図である。
【図４】図３のＩＶ−ＩＶ線断面矢視図である。
【図５】図３のＶ−Ｖ線断面矢視図であって、エアコンプレッサの縦断面図である。
【図６】図５のＶＩ−ＶＩ線断面矢視図である。
【図７】図５のＶＩ−ＶＩ線断面矢視図であって、可変フィルタを取り外したエアコンプレッサの横断面図である。
【図８】図３のＩＶ−ＩＶ線断面矢視図であって、圧縮機構が作動して吸気する時のエアコンプレッサの一部縦断面図である。
【図９】図３のＩＶ−ＩＶ線断面矢視図であって、ファンが送風している時のエアコンプレッサの一部縦断面図である。
【図１０】図３のＸ−Ｘ線断面矢視図であって、ファンが送風している時のエアコンプレッサの縦断面図である。
【図１１】第１実施形態に係るフィルタの全体斜視図である。
【図１２】第２実施形態に係るフィルタの全体斜視図である。
【図１３】第２実施形態に係るフィルタの前面図である。
【図１４】第３実施形態に係るフィルタの全体斜視図である。
【図１５】第３実施形態に係るフィルタの前面図である。
【図１６】第４実施形態に係るフィルタの全体斜視図である。
【図１７】第４実施形態に係るフィルタの前面図である。
【発明を実施するための形態】
【００２２】
次に、本発明の第１実施形態を図１〜１１に基づいて説明する。図３に示すようにエアコンプレッサ１は、圧縮エアを貯蔵可能な横長形状のタンク３を２つ備えている。２本のタンク３は、長手方向両端部それぞれでベース２によって連結されており、互いに平行である。タンク３の下面側には、タンク３の長手方向両端部に支持脚部４が設けられている。すなわちエアコンプレッサ１は、支持脚部４を計４つ備えている。図２に示すようにエアコンプレッサ１を床や作業台等の設置面Ｆに設置する場合、エアコンプレッサ１は、４つの支持脚部４で支持される。以下の説明において、支持脚部４を下側にしてエアコンプレッサ１を設置した姿勢で上下方向を規定する。また、後述するドレン排出部３０が設けられている側を前側として、前側に位置する使用者から見たときを基準として前後左右方向を規定する。
【００２３】
図３に示すように、タンク３の上方には、コンプレッサ本体１０がタンク３とベース２によって支持されている。図１に示すように、コンプレッサ本体１０は、下側が開口した略箱形の機構カバー５で外装されている。機構カバー５の側面には、メッシュ状に配置された複数の通気孔５ａが設けられている。
【００２４】
図３に示すようにコンプレッサ本体１０は、圧縮エアを生成する圧縮機構２０と、圧縮機構２０を外装または支持する機構ケース１１を備えている。圧縮機構２０は、電動モータ２１とシリンダ１２を備えている。図５に示すように電動モータ２１は、いわゆるアウタロータ形のブラシレスモータであり、機構ケース１１に支持されている。電動モータ２１は、略円筒形の回転子２１ｄを機構ケース１１の左方に備えている。回転子２１ｄの内周側には、固定子２１ｂが備えられている。回転子２１ｄの中心から出力軸２１ａが機構ケース１１内へと右方に延在している。出力軸２１ａは、回転子２１ｄと一体に設けられている。出力軸２１ａは、機構ケース１１に保持されている軸受２２，２３によって回転可能に支持されている。軸受２２，２３は、それぞれ機構ケース１１の左右両側部に配置されている。固定子２１ｂは、機構ケース１１に固定されている。固定子２１ｂは、出力軸２１ａの軸中心を中心にして放射状に延在している。固定子２１ｂには、コイル２１ｃが巻き付けられている。
【００２５】
図５に示すように、出力軸２１ａには、ファン２５が一体に連結されている。ファン２５は、電動モータ２１より左方に配置されている。出力軸２１ａが回転することによってファン２５が回転し、例えば図１０に示す風の流れＬ１，Ｌ２のように概ね左方から右方へと流れる風が発生する。
【００２６】
図３に示すように機構ケース１１の前後両側には、シリンダ１２が１つずつ設けられている。シリンダ１２は、出力軸２１ａの軸中心に対して放射状に前後方向に延びた姿勢で配置されている。シリンダ１２は、内部が連通するようにして機構ケース１１に気密に連結されている。
【００２７】
図４に示すように、機構ケース１１内にはクランク円板２４ａが設けられている。クランク円板２４ａは、軸中心が左右方向に延在する略円板形状を有している。クランク円板２４ａは、その中心が出力軸２１ａの中心とずれた状態で出力軸２１ａに連結されている。クランク円板２４ａには、クランクロッド２４の基端部が相対回転可能に支持されている。クランクロッド２４の先端部には、特に図では見えていないがピストンが取り付けられている。ピストンは、シリンダ１２内を気密に前後方向に往復動可能に支持されている。電動モータ２１に電力が供給されると、出力軸２１ａが回転する。出力軸２１ａの回転動力が、クランク円板２４ａとクランクロッド２４を介することで、シリンダ１２内におけるピストンの往復動作に変換される。
【００２８】
図４に示すように、ピストンがシリンダ１２の基部側（機構ケース１１と連結している側）にピストンが位置する場合、シリンダ１２の先端側へと機構ケース１１内の空気が流入可能となる。図３に示すように、シリンダ１２の先端側は、通気管２６と連通している。通気管２６は、タンク３内と連通している。ピストンが移動してシリンダ１２の先端側の空気を圧縮することで圧縮エアが生成され、通気管２６を介してタンク３に貯留される。
【００２９】
図２に示すように、前側のベース２には、ドレン排出部３０が設けられている。ドレン排出部３０は、ドレンコック３１と排出管３２を備えている。排出管３２は、一端がタンク３と連通している。図４に示すように、排出管３２の他端は、２つのタンク３の下面側へ回り込んで後方へ延びている。図２に示すように、ドレンコック３１は、前側のベース２に配設された排出管３２の経路途中に設けられている。ドレンコック３１を回転操作して閉じ状態にすると、タンク３内の圧縮エアとドレン水が排出管３２から排出されない。ドレンコック３１を回転操作して開き状態にすると、その開き量に応じて、タンク３内に残留する圧縮エアが排出エアとして排出管３２から排出され、タンク３内のドレン水も排出管３２から排出される。２つのタンク３の下面側には、補助板６が取り付けられている。補助板６は、２つのタンク３の間に沿って取り付けられている。補助板６の前部と後部はそれぞれベース２にねじ結合されている。
【００３０】
図２，４に示すように、２つのタンク３の下面側において排出管３２が延在する後方には、２つのタンク３の長手方向に沿って前後方向に延びた消音室３３が設けられている。消音室３３は、補助板６と、補助板６の下部に取り付けられた下部カバー３４の間に形成された略箱形空間である。消音室３３には、例えばスチールウール（ステンレスウール）等のウール状繊維部材が概ね充填するように収容されている。
【００３１】
図５に示すように、機構ケース１１の下部には、吸気部１３が設けられている。吸気部１３は、機構ケース１１の内外を連通する吸気口１３ａを有している。図７に示すように、吸気口１３ａは、前後に並列して複数個形成されている。図５に示すように複数の吸気口１３ａの下側は、固定フィルタ４０で覆われている。固定フィルタ４０は、例えば粉塵を通過させずかつ通気性がある細目のメッシュを有する布や紙で構成されている。固定フィルタ４０の縁部は、吸気部１３に固定されている。
【００３２】
図５に示すように、吸気部１３の下部には可変フィルタ５０が気密に取り付けられている。可変フィルタ５０は、固定フィルタ４０より下方に取り付けられており、機構ケース１１の外部に対して固定フィルタ４０を覆っている。そのため、可変フィルタ５０は、固定フィルタ４０より機構ケース１１の内側に形成された吸気口１３ａを覆っている。
【００３３】
図１１に示すように、可変フィルタ５０は、矩形状の取付部５１と、フィルタ本体５２を有している。取付部５１の４つの角部には、それぞれ挿通孔５１ａが上下方向に貫通している。取付部５１の略中央には、取付部５１の側面に沿った矩形状の矩形孔５１ｂが上下方向に貫通している。フィルタ本体５２は、例えば強度の比較的高い紙製である。フィルタ本体５２は、粉塵を通過させずかつ通気性がある細目のメッシュを有している。フィルタ本体５２は、左右方向から見て矩形で、前後方向から見て逆三角形の袋形状の露出部５２ｂを有している。フィルタ本体５２は、露出部５２ｂの上部に、上方に向けて開口した矩形の開口部５２ａを有している。開口部５２ａは、矩形孔５１ｂと気密に連結している。
【００３４】
図１１に示すように、露出部５２ｂは、左右一対の左右側部５２ｄを有している。左右側部５２ｄは、前後方向を長手方向とする矩形面である。左右側部５２ｄは、吸気部１３に取り付けた姿勢で左方下向きまたは右方下向きである。露出部５２ｂは、前後一対の前後側部５２ｅを有している。前後側部５２ｅは、逆三角形面に設けられている。前後側部５２ｅの各頂点から略中心に向かって折り目５２ｆが形成されている。前後側部５２ｅは、折り目５２ｆに沿って折り畳まれ易くなっている。前後側部５２ｅは、吸気部１３に取り付けた姿勢で前方または後方を向いている。露出部５２ｂの下端に当たる先端部５２ｃには、２つの重り部材５３が設けられている。重り部材５３は、露出部５２ｂの袋形状の内側に収容されている。重り部材５３は、例えば錆び難い黄銅（真鍮）合金を材料とする金属球である。
【００３５】
図７に示すように、取付部５１の下面には、ねじ孔１３ｃが４箇所設けられている。ねじ孔１３ｃは、図１１に示す挿通孔５１ａと対応して設けられている。図５に示すように、可変フィルタ５０を吸気部１３に取り付けるねじ１３ｂは、図１１に示す各挿通孔５１ａに通され、図７に示す各ねじ孔１３ｃに締結されている。可変フィルタ５０は、ねじ１３ｂの締結によって吸気部１３に気密に取り付けられている。
【００３６】
図４に示すように電動モータ２１が停止している場合、左右側部５２ｄは、露出部５２ｂ自体の紙の剛性と、重り部材５３によって垂れ下がることによって、略平面状になっている。電動モータ２１の停止している場合、前後側部５２ｅは、前方または後方から見て逆三角形状になっている。従って、電動モータ２１の停止している場合、露出部５２ｂは、袋形状の膨らみが維持されて後述する収縮状態よりも弛緩した状態になっている。
【００３７】
図８に示すように、電動モータ２１を作動させることで機構ケース１１に外気が吸引される。外気の吸引によって、露出部５２ｂは、吸気口１３ａ（図５参照）に吸い寄せられて収縮した形状（収縮状態）に変形する。左右側部５２ｄは、略平面から凹面状に変形する。前後側部５２ｅは、折り目５２ｆに沿って中心へと折り畳まれた状態に変形する。
【００３８】
図９に示すように、電動モータ２１を作動させてファン２５を回転させることで機構ケース１１の左方から右方に向けて流れる風が発生する。図１０に示すように、ファン２５によって発生する風は、例えば流れＬ１のように電動モータ２１を冷却しつつ左方から右方へ流れる。また、例えば流れＬ２のように機構ケース１１の外周に沿って左方から右方へ流れる。露出部５２ｂには、流れＬ１，Ｌ２等の風が流れる。左右側部５２ｄは、機構ケース１１の負圧によって収縮状態の凹面状に変形し、かつ風の流れＬ１，Ｌ２等に倣って先端部５２ｃ側が右方に変位する。前後側部５２ｅは、折り目５２ｆに沿って折り畳まれて収縮状態に変形し、かつ風の流れＬ１，Ｌ２等に倣って先端部５２ｃ側が右方に変位する。
【００３９】
以上説明したエアコンプレッサ１によれば、外気を圧縮して圧縮エアを生成する圧縮機構２０と、圧縮機構２０を備えた機構ケース１１と、機構ケース１１に外気を取り込むための吸気口１３ａを備えている。吸気口１３ａは、可変フィルタ５０で覆われている。可変フィルタ５０は、吸気口１３ａから露出した露出部５２ｂを有し、露出部５２ｂが吸気口１３ａに対して変位可能である。従って、露出部５２ｂが変位して左右側部５２ｄと前後側部５２ｅが変形することで、可変フィルタ５０の周りに堆積した粉塵がふるい落とされる。例えば可変フィルタ５０に堆積した粉塵が取り除かれることによって、可変フィルタ５０の通気性が本来の性能へと回復する。かくして特段の作業を増やすことなくエアコンプレッサ１の特に吸気口１３ａの周りに堆積した粉塵を取り除いて吸気効率を維持することができる。
【００４０】
また、エアコンプレッサ１によれば、可変フィルタ５０は、開口部５２ａを有している。開口部５２ａは、吸気口１３ａの周りを囲んで機構ケース１１に固定されている。従って、開口部５２ａが機構ケース１１に固定されているため、露出部５２ｂが比較的大きく変形しても可変フィルタ５０が吸気口の周りに保持される。そのため、露出部５２ｂの変形によって堆積した粉塵をふるい落とす効果をより高めることができる。また、開口部５２ａが吸気口１３ａの周りで固定されているため、露出部５２ｂが比較的大きく変形しても、吸気口１３ａへの粉塵の侵入を防ぐことができる。
【００４１】
また、エアコンプレッサ１によれば、圧縮機構２０を冷却するファン２５を備えている。ファン２５によって発生した風の少なくとも一部が露出部５２ｂへと流れる。従って、特段の構成を新たに設けることなく、エアコンプレッサ１の使用時に露出部５２ｂを通風により自動的に変位させることができる。これにより、吸気口１３ａの周りに堆積した粉塵を取り除くメンテナンスを自動的に行うことができる。また、取り除かれた粉塵は、ファン２５で発生した風によって、例えば右側のタンク３より右方等の吸気口１３ａから比較的離れた場所へと吹き飛ばされる。そのため取り除かれた粉塵が再度吸気口１３ａの周りに集塵されることを比較的抑制することができる。
【００４２】
また、エアコンプレッサ１によれば、吸気口１３ａは、可変フィルタ５０とは別体の固定フィルタ４０で覆われている。可変フィルタ５０は、吸気口１３ａに対して固定フィルタ４０の外側に設けられている。従って、吸気口１３ａへの粉塵の侵入をより確実に防ぐことができる。さらに、吸気口１３ａの周りに堆積した粉塵は、露出部５２ｂの変位によって概ね取り除かれる。そのため、固定フィルタ４０まで侵入する粉塵が十分に低減されて固定フィルタ４０の目詰まりが抑制される。これにより、メンテナンスフリーの状態でエアコンプレッサ１の吸気効率を維持することができる。また、可変フィルタ５０と固定フィルタ４０で吸気口１３ａを二重に覆うことによって、圧縮エアの生成時に圧縮機構２０から発生する騒音を抑えることができる。
【００４３】
また、エアコンプレッサ１によれば、露出部５２ｂは、電動モータ２１が作動して機構ケース１１へと吸気が生じる時に収縮状態に変形する。また、露出部５２ｂは、電動モータ２１が停止して機構ケース１１への吸気が停止した時に収縮状態が弛緩する。そのため、エアコンプレッサを使用する際には、圧縮機構２０の起動時と停止時で少なくとも２回は露出部５２ｂが変形する。かくして特段の作業を増やすことなくエアコンプレッサ１の使用に合わせて、吸気口１３ａの周りの特に露出部５２ｂに堆積した粉塵を自動的に取り除くことができる。また、圧縮機構２０の作動時に、例えばシリンダ１２内のピストンの往復動によって機構ケース１１が振動する。機構ケース１１の振動により露出部５２ｂが振動する。露出部５２ｂの変形と振動が合わさることによって、吸気口１３ａの周りの特に露出部５２ｂに堆積した粉塵をより早く取り除くことができる。
【００４４】
また、エアコンプレッサ１によれば、露出部５２ｂの先端部５２ｃには、重り部材５３が設けられている。従って、重り部材５３が、例えば露出部５２ｂと共に振り子のように揺れ動いたり、例えば袋状の露出部５２ｂの内側で転がったりする。これにより、露出部５２ｂの変位が起きやすくなり、また露出部５２ｂの変位量が大きくなる。そのため、吸気口１３ａの周りの特に露出部５２ｂに堆積した粉塵を取り除く効果がより高まる。
【００４５】
また、エアコンプレッサ１によれば、可変フィルタ５０のフィルタ本体５２は紙製である。従って、比較的目詰まりし難い紙をフィルタ本体５２として使用することによって、メンテナンスフリーの状態で可変フィルタ５０の通気性が維持され易い。また、変形し易い紙をフィルタ本体５２として使用することによって、露出部５２ｂを変位させ易い。
【００４６】
次に、本発明の第２実施形態を図１２，１３に基づいて説明する。第２実施形態のエアコンプレッサ１は、第１実施形態の可変フィルタ５０に代えて、可変フィルタ６０を吸気部１３に取り付けて、可変フィルタ６０が吸気口１３ａの周りを覆う構成になっている。以下の説明においては、可変フィルタ６０の構成についてのみ詳細に説明する。
【００４７】
図１２に示すように、可変フィルタ６０は、矩形状の取付部６１と、フィルタ本体６２を有している。取付部６１の４つの角部には、それぞれ図６に示すねじ１３ｂを挿通可能な挿通孔６１ａが上下方向に貫通している。取付部６１の略中央には、円形孔６１ｂが上下方向に貫通している。フィルタ本体６２は、例えば強度の比較的高い紙製であり、粉塵を通過させずかつ通気性がある細目のメッシュを有している。フィルタ本体６２は、左右方向から見て略矩形で、図１３に示すように前後方向から見て逆三角形の袋形状の露出部６２ｂを有している。図１２に示すようにフィルタ本体６２は、露出部６２ｂの上部に、上方に向けて開口した円形の開口部６２ａを有している。開口部６２ａは、円形孔６１ｂと気密に連結している。
【００４８】
図１２に示すように、露出部６２ｂは、左右一対の左右側部６２ｄを有している。略矩形面の一対の左右側部６２ｄは、前端と後端が前後端部６２ｅとして互いに結合されている。一対の左右側部６２ｄは、下端が先端部６２ｃとして互いに結合されている。露出部６２ｂは、左右方向から見て、上側の開口部６２ａが開口し、一対の前後端部６２ｅと先端部６２ｃが略矩形の外形を成す袋形状になっている。左右側部６２ｄは、吸気部１３に取り付けた姿勢で左方下向きまたは右方下向きである。図１３に示すように２つの重り部材６３が、露出部６２ｂの袋形状の内側に収容されて先端部６２ｃに位置している。重り部材６３は、例えば黄銅合金を材料とする金属球である。
【００４９】
次に、本発明の第３実施形態を図１４，１５に基づいて説明する。第３実施形態のエアコンプレッサ１は、第１実施形態の可変フィルタ５０に代えて、可変フィルタ７０を吸気部１３に取り付けて、可変フィルタ７０が吸気口１３ａの周りを覆う構成になっている。以下の説明においては、可変フィルタ７０の構成についてのみ詳細に説明する。
【００５０】
図１４に示すように、可変フィルタ７０は、矩形状の取付部７１と、フィルタ本体７２を有している。取付部７１の４つの角部には、それぞれ図６に示すねじ１３ｂを挿通可能な挿通孔７１ａが上下方向に貫通している。取付部７１の略中央には、円形孔７１ｂが上下方向に貫通している。フィルタ本体７２は、例えば強度の比較的高い紙製であり、粉塵を通過させずかつ通気性がある細目のメッシュを有している。フィルタ本体７２は、略円筒形の袋形状の露出部７２ｂを有している。フィルタ本体７２は、露出部７２ｂの上部に、上方に向けて開口した円形の開口部７２ａを有している。開口部７２ａは、円形孔７１ｂと気密に連結している。図１５に示すように、露出部７２ｂの円形の底部（先端部）７２ｃには、２つの重り部材７３が収容されている。重り部材７３は、例えば黄銅合金を材料とする金属球である。
【００５１】
次に、本発明の第４実施形態を図１６，１７に基づいて説明する。第４実施形態のエアコンプレッサ１は、第１実施形態の可変フィルタ５０に代えて、可変フィルタ８０を吸気部１３に取り付けて、可変フィルタ８０が吸気口１３ａの周りを覆う構成になっている。以下の説明においては、可変フィルタ８０の構成についてのみ詳細に説明する。
【００５２】
図１６に示すように、可変フィルタ８０は、矩形状の取付部８１と、フィルタ本体８２を有している。取付部８１の４つの角部には、それぞれ図８に示すねじ１３ｂを挿通可能な挿通孔８１ａが上下方向に貫通している。取付部８１の略中央には、取付部８１の側面に沿った矩形状の矩形孔８１ｂが上下方向に貫通している。フィルタ本体８２は、例えば強度の比較的高い紙製であり、粉塵を通過させずかつ通気性がある細目のメッシュを有している。フィルタ本体８２は、箱形の袋形状の露出部８２ｂを有している。フィルタ本体８２は、露出部８２ｂの上部に、上方に向けて開口した矩形の開口部８２ａを有している。開口部８２ａは、矩形孔８１ｂと気密に連結している。
【００５３】
図１６に示すように、露出部８２ｂは、左右一対の左右側部８２ｄを有している。左右側部８２ｄは、前後方向を長手方向とする矩形面である。左右側部８２ｄは、吸気部１３に取り付けた姿勢で左方または右方を向いている。露出部８２ｂは、前後一対の矩形面状の前後側部８２ｅを有している。前後側部８２ｅには、左右方向の略中央において上下方向に延び、さらに前後側部８２ｅの各頂点に向かって延びる折り目８２ｆが形成されている。前後側部８２ｅは、折り目８２ｆに沿って折り畳まれ易くなっている。前後側部８２ｅは、吸気部１３に取り付けた姿勢で前方または後方を向いている。図１７に示すように、露出部８２ｂの矩形の底部（先端部）８２ｃには、２つの重り部材８３が収容されている。重り部材８３は、例えば黄銅合金を材料とする金属球である。
【００５４】
以上説明した第２〜第４実施形態の可変フィルタ６０，７０，８０は、第１実施形態の可変フィルタ５０と同様の作用効果を奏する。すなわち、可変フィルタ６０，７０，８０は、図５に示す可変フィルタ５０のように吸気口１３ａ（図５参照）を覆うように吸気部１３に取り付けられる。吸気口１３ａから露出する露出部６２ｂ，７２ｂ，８２ｂは、吸気口１３ａに対して変位可能である。露出部６２ｂ，７２ｂ，８２ｂは、例えば図５に示す圧縮機構２０の作動または停止によって変位する。また、例えば図１０に示すファン２５によって発生した風の少なくとも一部が露出部６２ｂ，７２ｂ，８２ｂへと流れ、風が流れることによって露出部６２ｂ，７２ｂ，８２ｂは変位する。従って、露出部６２ｂ，７２ｂ，８２ｂの変位によって可変フィルタ６０，７０，８０周りに堆積した粉塵がふるい落とされて取り除かれる。そのため、特段の作業を増やすことなくエアコンプレッサ１の特に吸気口１３ａの周りに堆積した粉塵を取り除いて吸気効率を維持することができる。また、機構ケース１１の振動により露出部６２ｂ，７２ｂ，８２ｂが振動することによっても、粉塵のふるい落としがなされる。
【００５５】
以上説明した第１〜第４実施形態のエアコンプレッサ１には様々な変更を加えることができる。例えば、圧縮機構２０の動力源として、電動モータ２１に代えて、燃料が供給されることで駆動する内燃機関を備える構成としてもよい。アウタロータ形のブラシレスモータである電動モータ２１を例示したが、例えば電動モータがインナロータ形等の他の形式である場合にも適用することができる。ファン２５は、例えば電動モータ２１より風の流れの下流側（機構ケース１１の右側）に設けてもよく、例えば複数設けてもよい。２本のタンク３を有するエアコンプレッサを例示したが、タンクの本数は１本でもよく３本以上でもよい。また、タンクを備えず、圧縮機構で生成した圧縮空気を直接工具に供給するエアコンプレッサにも可変フィルタ５０，６０，７０，８０を適用することができる。
【００５６】
機構ケース１１の下部に吸気部１３を設ける構成を例示したが、例えば機構ケースの上部や側部に吸気部を設け、当該吸気部に可変フィルタを取り付けてもよい。フィルタ本体は、紙に限らず、粉塵を通過させずかつ通気性がある細目のメッシュを有する他の材料で構成されていてもよい。フィルタ本体は、例えば布製やフェルト（不織布）製であってもよく、例えば通気性を有する樹脂シート等であってもよい。露出部は、例示した形状に限らず、吸気口１３ａを覆いかつ吸気口１３ａから露出している様々な形状に変更することができる。
【００５７】
球状の重り部材に代えて、例えば丸棒形状等の他の形状の重り部材を露出部に備える構成としてもよい。重り部材は、例示した黄銅合金に限らず、例えば樹脂や錆び難いステンレス等の合金を材料としてもよい。露出部の袋形状の内側に収容した重り部材を例示したが、例えば露出部の先端部の外側に重り部材を垂下させてもよい。重り部材は、１個だけ設けてもよく、３個以上設けてもよい。あるいは、露出部に重り部材を設けない構成にしてもよい。また、固定フィルタ４０に加えて可変フィルタ５０，６０，７０，８０を取り付けた２重フィルタ構造を例示したが、固定フィルタ４０を省略した単一フィルタ構造に例示した可変フィルタ５０，６０，７０，８０を適用することができる。
【符号の説明】
【００５８】
１…エアコンプレッサ
２…ベース
３…タンク
４…支持脚部
５…機構カバー、５ａ…通気孔
６…補助板
１０…コンプレッサ本体
１１…機構ケース
１２…シリンダ
１３…吸気部、１３ａ…吸気口、１３ｂ…ねじ、１３ｃ…ねじ孔
２０…圧縮機構
２１…電動モータ（動力機関）、２１ａ…出力軸
２１ｂ…固定子、２１ｃ…コイル、２１ｄ…回転子
２２，２３…軸受
２４…クランクロッド、２４ａ…クランク円板
２５…ファン
２６…通気管
３０…ドレン排出部
３１…ドレンコック
３２…排出管
３３…消音室
３４…下部カバー
４０…固定フィルタ
５０…可変フィルタ（第１実施形態）
５１…取付部、５１ａ…挿通孔、５１ｂ…矩形孔
５２…フィルタ本体、５２ａ…開口部、５２ｂ…露出部、５２ｃ…先端部
５２ｄ…左右側部、５２ｅ…前後側部、５２ｆ…折り目
５３…重り部材
６０…可変フィルタ（第２実施形態）
６１…取付部、６１ａ…挿通孔、６１ｂ…円形孔
６２…フィルタ本体、６２ａ…開口部、６２ｂ…露出部、６２ｃ…先端部
６２ｄ…左右側部、６２ｅ…前後端部
６３…重り部材
７０…可変フィルタ（第３実施形態）
７１…取付部、７１ａ…挿通孔、７１ｂ…円形孔
７２…フィルタ本体、７２ａ…開口部、７２ｂ…露出部、７２ｃ…底部（先端部）
７３…重り部材
８０…可変フィルタ（第４実施形態）
８１…取付部、８１ａ…挿通孔、８１ｂ…矩形孔
８２…フィルタ本体、８２ａ…開口部、８２ｂ…露出部、８２ｃ…底部（先端部）
８２ｄ…左右側部、８２ｅ…前後側部、８２ｆ…折り目
８３…重り部材
Ｆ…設置面
Ｌ１，Ｌ２…（ファンによって発生した風の）流れ
【図１】
2020180596.tif 000003
【図２】
2020180596.tif 000004
【図３】
2020180596.tif 000005
【図４】
2020180596.tif 000006
【図５】
2020180596.tif 000007
【図６】
2020180596.tif 000008
【図７】
2020180596.tif 000009
【図８】
2020180596.tif 000010
【図９】
2020180596.tif 000011
【図１０】
2020180596.tif 000012
【図１１】
2020180596.tif 000013
【図１２】
2020180596.tif 000014
【図１３】
2020180596.tif 000015
【図１４】
2020180596.tif 000016
【図１５】
2020180596.tif 000017
【図１６】
2020180596.tif 000018
【図１７】
2020180596.tif 000019